(57)【要約】【課題】包装箱内に収納した複数のクラムシェルパッケージ（ＣＳＰ）を係止する保持部材の起力をキャンセルさせる様にしてＣＳＰのガタ付きを抑える。【解決手段】ＣＳＰ１の窪み部３と係合させる第１及び第２の係合部１７Ｒ，１７Ｌを有する保持部材１１の主面部１２の縁部に設けた折目線１３Ｒ，１３Ｌに沿って第１及び第２の切起片１０Ｒ，１０Ｌを形成して、コ字状に折り曲げた第１及び第２の折曲片１４Ｒ，１４Ｌの反り返りをキャンセルさせて保持部材１１とＣＳＰ１の係止状態を安定に保つ様にする。【選択図】        図１
2004149158.tif 000002
【特許請求の範囲】
【請求項１】
複数のクラムシェルパッケージを断面略コ字状に折り曲げた第１及び第２の折曲片に形成した係合溝を介して保持する様に成されたクラムシェルパッケージの保持部材であって、
上記保持部材の上記第１及び第２の折曲片の起力をキャンセルする切起片を該第１及び第２の折曲片の折り曲げ線に沿って形成したことを特徴とするクラムシェルパッケージの保持部材。
【請求項２】
前記折曲片は前記保持部材の前記切起片の主面部に形成した切溝を１８０°折り返して構成させたことを特徴とする請求項１記載のクラムシェルパッケージの保持部材。
【請求項３】
包装箱内に収納した複数のクラムシェルパッケージと、
断面を略コ字状に折り曲げた第１及び第２の折曲片に形成した係合溝を有するクラムシェルパッケージの保持部材とを有する包装装置であって、
上記第１及び第２の折曲片の起力をキャンセルする切起片を設けた。上記保持部材によって上記包装箱内の複数の上記クラムシェルパッケージを保持させて成ることを特徴とする包装装置。
【発明の詳細な説明】
【０００１】
【発明の属する技術分野】
本発明は、ダンボール紙等の厚紙をコ字状に折り込み、包装箱内に収納させた複数のクラムシェルパッケージを保持させる様にしたクラムシェルパッケージの保持部材及び包装装置の改良に関する。
【０００２】
【従来の技術】
従来から、小型電気物品を収容させるパッケージとして透明な２枚の合成樹脂シートを金型を介してクラムシェル（ｃｌａｍ−ｓｈｅｌｌ）成型し、物品を収納可能な中空部を形成し、周縁部を溶着させたクラムシェルパッケージが広く利用されている。
【０００３】
この様なクラムシェルパッケージ（以下ＣＳＰと記す）内に小型電気部品を収納させてダンボール箱等の包装箱内に複数個収納して出荷する際に、これら複数のＣＳＰを保持するためにダンボール紙で形成したＣＳＰ保持部材を介して搬送中に生ずるＣＳＰのガタ付きを防止して、ＣＳＰ内に収納した物品の破損を防止する保持部材及び包装箱は図７（Ａ）（Ｂ）及び図８に示す様に構成させていた。
【０００４】
図８は従来のＣＳＰの保持部材の展開図を示すものであり、ダンボール紙等の略長方形状の厚紙を図８に示す様にプレス等で打抜いた保持部材５０は中央領域に略長方形状の主面部５１を有し、短辺側にはＣＳＰの前後を示す円弧形状の切溝５４が設けられ、この主面部５１から折目線５２Ｌ，５２Ｒを介して、第１及び第２の折曲片５３Ｌ，５３Ｒが連設ささ、この折目線５２Ｌ，５２Ｒよりコ字状に折り曲げる様に成されている。
【０００５】
第１及び第２の折曲片５３Ｒ，５３ＬにはＣＳＰ１の段部６と周縁部の形状に対応した複数の蟻溝状の第１及び第２の係合部５５Ｒ（５５Ｒａ〜５５Ｒｅ）及び５５Ｌ（５５Ｌａ〜５５Ｌｅ）が形成されている。
【０００６】
この様な保持部材５０は図７（Ｂ）に示す様なダンボール箱等で構成した包装箱６０内に複数個並設したＣＳＰ１のガタ付きを防止するために主面部５１に対しコ字状に折り曲げた第１及び第２の折曲片５３Ｒ，５３Ｌに形成した第１及び第２の係合部５５Ｒ，５５Ｌを図７（Ａ）の様にＣＳＰの段部６及び周辺部２に嵌着させて、包装箱１の左右前後のフラップ６１によって固定して、包装装置７０を完成させている。この様な包装装置及びＣＳＰの保持部材７０は特許文献１に開示されている。
【０００７】
【特許文献１】
特許公開平成１０−１０１０５９号公報（図７、図９、図１０）
【０００８】
【発明が解決しようとする課題】
上述の様に複数のＣＳＰ１を包装箱６０内に複数個並設させて、搬送時のガタ付きを防止するための保持部材５０はダンボール紙を図６（Ａ）に示す様に主面部５１から折曲線５２Ｒに沿って折り曲げた第１の折曲片５３Ｒは略直角に折り曲げられている。
【０００９】
今、包装装置７０に与えられた衝撃等でＣＳＰの段部６が潰れたり、包装箱６０内の一方に偏ったりすると、例えば第１の折曲片５３Ｒに形成した係合部５５ＲがＣＳＰ１の段部６等からロック状態が外れると、第１の折曲片５３Ｒは元の平らな状態に戻ろうとする矢印Ａ方向に向かう力が働く（以後、本発明ではこの様な力を起力と記す）。
従って、この様な起力によって第１の折曲片５３Ｒは主面部５１に平行になって保持部材としての機能を失ってしまう課題を有していた。
【００１０】
本発明は、包装箱内のＣＳＰ１を安定的に保持可能で、衝撃等が生じても保持部材とＣＳＰ１のロック状態が起力によって元の天面に戻らないＣＳＰの保持部材及びこれを用いた包装装置を提供することを目的とする。
【００１１】
【課題を解決するための手段】
本発明の保持部材及び包装装置は、図６（Ｂ）に示す様に折曲片で生ずる起力をキャンセルする様な切起片を折曲線に沿って形成して起力をキャンセルすることによる保持部材の係合部とＣＳＰのロック状態の解除が生じない様に成したものである。
【００１２】
斯かる、本発明のＣＳＰ１の保持部材５０及び包装装置によると、切起片１０によって図６（Ｂ）の如く矢印Ａ方向の第１の折曲片５３Ｒの起力は切起片１０の矢印Ｂで示す起力によってキャンセルされて、極めて簡単な構造でＣＳＰの段部６や周縁部２から保持部材５０の係合部５３のロックが解除されないものが得られる。
【００１３】
【発明の実施の形態】
以下、本発明のＣＳＰの保持部材及び包装装置を図１乃至図５に詳記する。図１は本発明のＣＳＰの保持部材の展開図、図２は使用状態を示すＣＳＰの保持部材の斜視図、図３（Ａ）（Ｂ）は包装箱内に収納した複数のＣＳＰを保持する保持部材の挿入状態を説明するための斜視図、図４（Ａ）（Ｂ）及び図５（Ａ）（Ｂ）はＣＳＰに保持部材を係止させる係止方法の説明図である。
【００１４】
図１のＣＳＰの保持部材１１はダンボール紙等の厚紙を図１の様な形状にプレス等で打ち抜かれている。この保持部材１１は略長方形状の主面部１２の長さ方向の寸法が図３（Ａ）（Ｂ）で示す包装箱６０の長辺又は短辺方向と略同一と成され、左右の折目線１３Ｌ，１３Ｒを介して、第１の折曲片１４Ｒ及び第２の折曲片１４Ｌが連設されている。
【００１５】
また、主面部１２の略中央部には包装箱６０内に収納するＣＳＰ１の前後を示す目印及び指当となる円弧形状の切欠部１５ｂを有する切溝部１５ａが形成されると共に左右の折目線１３Ｒ，１３Ｌに沿って第１及び第２の長方形状の切起片１０Ｒ，１０Ｌを形成するため、左右の折目線１３Ｌ，１３Ｒを残してコ字状の切溝１６Ｒ，１６Ｌを形成する。
【００１６】
第１及び第２の折曲片１４Ｒ，１４Ｌには、ＣＳＰ１の段部６と周縁部２に係合する第１及び第２の係合溝１７Ｒ及び１７Ｌが形成されている。
【００１７】
この係合部１７Ｒ，１７Ｌは包装箱６０内に収納するＣＳＰ１の数に対応して夫々設けられている。本例で包装箱６０に収納した５個のＣＳＰ１に対応して５個の第１及び第２の係合部１７Ｒａ，１７Ｒｂ，１７Ｒｃ，１７Ｒｄ，１７Ｒｅ，１７Ｌａ，１７Ｌｂ，１７Ｌｃ，１７Ｌｄ，１７Ｌｅが設けられている。
【００１８】
第１及び第２の係合部１７Ｒ，１７Ｌに形成される係合溝１７Ｒａ〜１７Ｒｅ，１７Ｌａ〜１７Ｌｅは第１及び第２の折曲片１４Ｒ，１４Ｌの端部が切り抜かれた蟻溝状を呈している。
【００１９】
第１の係合部１７Ｒ（１７Ｒａ〜１７Ｒｄ）は図５（Ａ）の様に第１の折曲片１４Ｒの側縁に対して垂直な方向に形成した第１の切欠縁部１８ａとこの第１の切欠縁部１８ａと直交する様に形成された第２の切欠縁部１８ｂと、この第２の切欠縁部１８ｂから所定の角度を持って上方に傾斜して形成される第３の切欠縁部１８ｃと第３の切欠縁部１８ｃの終端から第１の切欠縁部１８ａと平行な方向に形成される第４の切欠縁部１８ｄと第４の切欠縁部１８ｄの終端から第２の切欠縁部１８ｂと平行に形成される第５の切欠縁部１８ｅと、この第５の切欠縁部１８ｅから所定の角度を持って下方に傾斜して第１の折曲片１４Ｒの側縁に達する様に形成した第６の切欠縁部１８ｆから蟻溝状の第１の係合部１７Ｒが形成されている。
【００２０】
これら第１の係合部１７Ｒ（１７Ｒａ〜１７Ｒｄ）の溝幅は２枚のフィルムを接合して中空形成されたＣＳＰ１の物品を収納する一方の段部６の厚みに合わされ、ＣＳＰ１の周縁部２に形成した窪み部３内に第４〜第６の切欠縁部１８ｄ〜１８ｅで構成される係止部１８ｇが係止する様に成されている。
【００２１】
第２の係合部１７Ｌ（１７Ｌａ〜１７Ｌｅ）及び１７Ｒｅは図５（Ｂ）に示す様に第２の折曲片１４Ｒの側縁に対して垂直な方向に形成した第１の切欠縁部１９ａと、この第１の切欠縁部１９ａと直交するように折目線１３Ｌに沿って形成された第２の切欠縁部１９ｂと、この第２の切欠縁部１９ｂの終端から第１の切欠縁部１９ａと平行に形成した第３の切欠縁部１９ｃと、第３の切欠縁部１９ｃの終端から第２の切欠縁部１９ｂと平行に形成した第４の切欠縁部１９ｄと、この第４の切欠縁部１９ｄから所定の角度を持って下方に傾斜して形成されて第２の折曲片１４Ｌの側縁に達する第５の切欠縁部１９ｅとで蟻溝状の第２の係合部１７Ｌが構成される。尚、第１の折曲片１４Ｒに形成した係合部１７Ｒｅの第１の切欠縁部１９ａは収納箱６０の端部に配されるＣＳＰ１の段部６の関係から傾斜した形状と成されている。
【００２２】
これら、第２の係合部１７Ｌ（１７Ｌａ〜１７Ｌｅ）及び１７Ｒｅの上部溝幅は２枚のフィルムを中空成型して接合したＣＳＰ１の他方の段部６の厚みに合わされ、ＣＳＰ１の周縁部２に形成した窪み部３内に第３〜第５の切欠縁部１９ｃ〜１９ｄで構成された係止片１９ｇが係止される様に成されている。
【００２３】
上述の構成のＣＳＰの保持部材１１の係止方法を図２乃至図５によって説明する。図３（Ａ）（Ｂ）はダンボール紙等で箱状に形成された包装箱６０を示し、包装箱６０開口部は四辺に沿って４個のフラップ６１が形成されている。この包装箱６０内に図３では所定のラジオ受信機や電池等の小物物品を収納して溶着させた５個のＣＳＰ１を包装箱１内に並設する。
【００２４】
次に図１に示した保持部材１１を図３（Ａ）の様に第１及び第２の折曲片１２Ｒ，１２Ｌを折目線１３Ｌ，１３Ｒに沿って主面部１２に対し直交する様に折り曲げて略断面がコ字状となる様に成した後に第１及び第２の折曲片１２Ｒ，１２Ｌに形成した夫々５個の第１及び第２の係合部１７Ｒ（１７Ｒａ〜１７Ｒｅ）及び１７Ｌ（１７Ｌａ〜１７Ｌｅ）の係合片１８ｇ及び１９ｇを図５（Ａ）（Ｂ）に示す様にＣＳＰ１の窪み部３に係止させて夫々のＣＳＰ１を保持部材１１で包装箱６０内でガタ付かない様にロックする。
【００２５】
更に、図１で示された主面部１２の切溝１６Ｌ，１６Ｒに沿って、第１及び第２の切起片１０Ｒ，１０Ｌを図２及び図３（Ｂ）に示す様に主面部１２と同一面上に成る様１８０°展開させる。
【００２６】
この様に第１及び第２の切起片１０Ｒ及び１０Ｌを展開させた状態で四辺の夫々のフラップ６１を閉じて包装装置７０を構成させる。
【００２７】
上述の如く構成した、ＣＳＰ１と保持部材１１のロック状態を図４（Ａ）に示す様に第１及び第２の折曲片１４Ｒ，１４Ｌを折り曲げて窪み部３に係止片１８ｇ及び１９ｇを係止させた状態では第１及び第２の折曲片１４Ｒ，１４Ｌの起力は矢印Ａ及びＡ′方向に働くため係止片１８ｇ及び１９ｇがＣＳＰ１の窪み部３から外れる可能性がある。
【００２８】
然し、図４（Ｂ）の様に第１及び第２の切起片１０Ｒ及び１０Ｌを１８０°展開させると、矢印Ａ及びＡ′の起力をキャンセルする様な矢印Ｂ及びＢ′の起力が発生することで主面部１３は常に矢印Ｄ及びＤ′で示す様な力が働いて、係止片１８ｇ及び１９ｇが窪み部３から抜け出ることがなくＣＳＰ１をガタ付くことなく包装箱６０内に挿入することが出来ると共に包装装置７０を落下させて衝撃が加わってもＣＳＰ１がガタ付かないＣＳＰの保持装置及び包装装置を得ることが出来る。
【００２９】
【発明の効果】
本発明のＣＳＰの保持部材及び包装装置に依れば保持部材に簡単な切溝を施して、切起片を１８０°展開させる様な簡単な構成で係止片が窪み部から離脱しないものが得られ、ＣＳＰを包装箱内でガタ付くことなく保持可能となる。
【図面の簡単な説明】
【図１】本発明のクラムシェルパッケージの保持部材を示す平面図である。
【図２】本発明のクラムシェルパッケージの保持部材の斜視図である。
【図３】本発明の包装装置の組立状態を説明するための斜視図である。
【図４】本発明に用いるクラムシェルパッケージと保持部材の係止状態説明図である。
【図５】本発明に用いるクラムシェルパッケージと保持部材の係止片との係合状態を説明する要部の説明図である。
【図６】本発明の原理説明用の斜視図である。
【図７】従来のクラムシェルパッケージと保持部材の係合状態説明図及び包装装置内に収納したクラムシェルパッケージの収納方法を示す包装装置の斜視図である。
【図８】従来のクラムシェルパッケージの保持装置の平面図である。
【符号の説明】
１‥‥クラムシェルパッケージ（ＣＳＰ）、２‥‥周縁部、３‥‥窪み部、６‥‥段部、１０Ｒ，１０Ｌ‥‥第１及び第２の切起部、１１‥‥保持部材、１２‥‥主面部、１４Ｒ，１４Ｌ‥‥第１及び第２の折曲片、１７Ｒ，１７Ｌ‥‥第１及び第２の係合部
【図１】
2004149158.tif 000003
【図２】
2004149158.tif 000004
【図３】
2004149158.tif 000005
【図４】
2004149158.tif 000006
【図５】
2004149158.tif 000007
【図６】
2004149158.tif 000008
【図７】
2004149158.tif 000009
【図８】
2004149158.tif 000010